(57)【要約】【課題】ユーザの利便性を向上させた再生装置、再生方法及び再生装置制御プログラムを提供する。【解決手段】チャプター削除機能がオンになっている場合には（ステップＳ２２；Ｙｅｓ）、コンテンツの再生中に、そのコンテンツをチャプターに分割する（ステップＳ２５）。そして、再生終了時に再生済みのチャプターを削除する旨が選択された場合（ステップＳ２９；Ｙｅｓ）、再生済みのチャプターの一部を残して削除するとともに、残した部分と再生が完了していない部分とを連結して記憶する（ステップＳ３０）。【選択図】図５
2011258267.tif 000002
【特許請求の範囲】
【請求項１】
コンテンツのデータを記憶する記憶部と、
前記記憶部に記憶されたデータのうち一のコンテンツのデータを再生する再生部と、
前記一のコンテンツのデータのうち、前記再生部により再生された部分を所定時間毎にチャプターとして分割する分割部と、
前記再生部による再生が停止されたときに、前記分割部により分割されたチャプター毎にデータを削除する削除部と、
前記削除部の削除により削除されていない部分のデータを、前記一のコンテンツのデータに置き換えて前記記憶部に記憶するチャプター削除データ記憶部と、
を備えることを特徴とする再生装置。
【請求項２】
前記削除部は、前記分割部により分割されたチャプター毎に、チャプターの一部のデータを残して削除し、
前記削除部が削除せずに残した各チャプターの一部のデータと、前記再生部による再生が停止されたときに、前記分割部により前記チャプターとして分割されていなかった部分のデータとを連結する連結部をさらに有し、
前記記憶部は、前記連結部が連結したデータを、前記一のコンテンツのデータに置き換えて前記記憶部に記憶する
ことを特徴とする請求項１に記載の再生装置。
【請求項３】
前記再生部は、前記連結部が連結したデータを再生するときには、各チャプターの一部のデータを再生した後に、前記チャプターとして分割されていなかった部分のデータを再生する
ことを特徴とする請求項２に記載の再生装置。
【請求項４】
前記削除部は、前記再生部による再生が停止されたときに、前記分割部により分割されたチャプター毎に、チャプターの先頭から所定時間のデータを残して削除する
ことを特徴とする請求項２または３に記載の再生装置。
【請求項５】
記憶部に記憶されたデータのうち一のコンテンツのデータを再生する再生ステップと、
前記一のコンテンツのデータのうち、前記再生ステップで再生された部分を所定時間毎にチャプターとして分割する分割ステップと、
前記再生ステップにおける再生が停止されたときに、前記分割ステップで分割されたチャプター毎にデータを削除する削除ステップと、
前記削除ステップにおける削除により削除されていない部分のデータを、前記一のコンテンツのデータに置き換えて前記記憶部に記憶するチャプター削除データ記憶ステップと、
を備えることを特徴とする再生方法。
【請求項６】
コンピュータを、
記憶部に記憶されたデータのうち一のコンテンツのデータを再生する再生部、
前記一のコンテンツのデータのうち、前記再生部により再生された部分を所定時間毎にチャプターとして分割する分割部、
前記再生部による再生が停止されたときに、前記分割部により分割されたチャプター毎にデータを削除する削除部、
前記削除部の削除により削除されていない部分のデータを、前記一のコンテンツのデータに置き換えて前記記憶部に記憶するチャプター削除データ記憶部、
として機能させることを特徴とする再生装置制御プログラム。
【発明の詳細な説明】
【技術分野】
【０００１】
本発明は、再生装置、再生方法及び再生装置制御プログラムに関する。
【背景技術】
【０００２】
複数のチャプターに別れた動画ファイルを記憶し、チャプター毎に動画ファイルを再生することができる装置が知られている（例えば特許文献１）。特許文献１の装置では、動画ファイルをチャプター単位で削除することができる。
【先行技術文献】
【特許文献】
【０００３】
【特許文献１】特開２００７−２２６９２４号公報
【発明の概要】
【発明が解決しようとする課題】
【０００４】
特許文献１の装置では、チャプター単位で削除を行うため、削除したチャプターの内容を確認することが困難である。また、元の動画ファイルに対してどこまで削除したかをユーザに提示する手段を持たないため、部分的に削除された動画ファイルなのか否かを確認することができない。
【０００５】
本発明は、上記実情に鑑みてなされたもので、ユーザの利便性を向上させた再生装置、再生方法及び再生装置制御プログラムを提供することを目的とする。
【課題を解決するための手段】
【０００６】
上記目的を達成するため、本発明の第１の観点に係る再生装置は、
コンテンツのデータを記憶する記憶部と、
前記記憶部に記憶されたデータのうち一のコンテンツのデータを再生する再生部と、
前記一のコンテンツのデータのうち、前記再生部により再生された部分を所定時間毎にチャプターとして分割する分割部と、
前記再生部による再生が停止されたときに、前記分割部により分割されたチャプター毎にデータを削除する削除部と、
前記削除部の削除により削除されていない部分のデータを、前記一のコンテンツのデータに置き換えて前記記憶部に記憶するチャプター削除データ記憶部と、
を備えることを特徴とする。
【０００７】
また、前記削除部は、前記分割部により分割されたチャプター毎に、チャプターの一部のデータを残して削除し、
前記削除部が削除せずに残した各チャプターの一部のデータと、前記再生部による再生が停止されたときに、前記分割部により前記チャプターとして分割されていなかった部分のデータとを連結する連結部をさらに有し、
前記記憶部は、前記連結部が連結したデータを、前記一のコンテンツのデータに置き換えて前記記憶部に記憶するようにしてもよい。
【０００８】
また、前記再生部は、前記連結部が連結したデータを再生するときには、各チャプターの一部のデータを再生した後に、前記チャプターとして分割されていなかった部分のデータを再生するようにしてもよい。
【０００９】
また、前記削除部は、前記再生部による再生が停止されたときに、前記分割部により分割されたチャプター毎に、チャプターの先頭から所定時間のデータを残して削除するようにしてもよい。
【００１０】
本発明の第２の観点に係る再生方法は、
記憶部に記憶されたデータのうち一のコンテンツのデータを再生する再生ステップと、
前記一のコンテンツのデータのうち、前記再生ステップで再生された部分を所定時間毎にチャプターとして分割する分割ステップと、
前記再生ステップにおける再生が停止されたときに、前記分割ステップで分割されたチャプター毎にデータを削除する削除ステップと、
前記削除ステップにおける削除により削除されていない部分のデータを、前記一のコンテンツのデータに置き換えて前記記憶部に記憶するチャプター削除データ記憶ステップと、
を備えることを特徴とする。
【００１１】
本発明の第３の観点に係る再生装置制御プログラムは、
コンピュータを、
記憶部に記憶されたデータのうち一のコンテンツのデータを再生する再生部、
前記一のコンテンツのデータのうち、前記再生部により再生された部分を所定時間毎にチャプターとして分割する分割部、
前記再生部による再生が停止されたときに、前記分割部により分割されたチャプター毎にデータを削除する削除部、
前記削除部の削除により削除されていない部分のデータを、前記一のコンテンツのデータに置き換えて前記記憶部に記憶するチャプター削除データ記憶部、
として機能させることを特徴とする。
【発明の効果】
【００１２】
本発明によれば、再生装置におけるユーザの利便性が向上する。
【図面の簡単な説明】
【００１３】
【図１】本発明の一実施形態に係る再生装置の構成を示すブロック図である。
【図２】記憶部に記憶される映像音声データの一例を示す図である。
【図３】再生装置の機能を示す機能ブロック図である。
【図４】セットアップ処理の動作を説明するためのフローチャートである。
【図５】コンテンツ再生処理の動作を説明するためのフローチャートである。
【図６】チャプター削除処理の具体例を説明するための図である。
【図７】記憶部に記憶される映像音声データの具体例を示す図である。
【図８】再生装置に記憶されるコンテンツの一覧の表示イメージである。
【発明を実施するための形態】
【００１４】
以下、図面を参照しつつ、本発明の実施の形態について説明する。図１は本発明の一実施形態に係る再生装置１００の構成を示すブロック図である。
【００１５】
この再生装置１００は、受信部１、復調部２、Ａ／Ｄ変換部３、圧縮処理部４、記憶部５、伸張処理部６、ＯＳＤ（オンスクリーンディスプレイ）部７、Ｄ／Ａ変換部９、音声出力装置１０、ＲＡＭ（Random Access Memory）１３、フラッシュＲＯＭ（Read Only Memory）１４、制御部１５、キー入力部１６、キー受信部１７を備える。
【００１６】
受信部１は、アンテナで受信したテレビ放送を選局するためのチューナを有する。復調部２は、この受信部１が受信したテレビ放送のＲＦ（Radio Frequency）信号をＴＳ（Transport Stream）信号に変換する。
【００１７】
Ａ／Ｄ変換部３は、外部から入力されてくるアナログ映像音声信号をデジタル映像音声信号に変換する。圧縮処理部４は、復調部２からのＴＳ信号に対してデマルチプレクサ処理を行う。また、圧縮処理部４は、Ａ／Ｄ変換部３で変換されたデジタル映像音声信号をＭＰＥＧ等の各種圧縮方式で圧縮処理する。
【００１８】
記憶部５は、圧縮処理部４で圧縮処理された映像音声データを記憶する。記憶部５は、ＨＤＤ（ハードディスクドライブ）或いは内蔵メモリ或いは外部メモリ（カード型のメディア等）から構成される。図２は、記憶部５に記憶される映像音声データの一例を示す図である。図２に示すように、記憶部５には、映像音声データのコンテンツのデータに対応付けて、タイトルや再生時間（元ファイル再生時間、チャプター削除後再生時間）などの付加情報を記憶する。
【００１９】
伸張処理部６は、記憶部５から読み出した映像音声データを元の映像音声データに復元する。
【００２０】
ＯＳＤ（オンスクリーンディスプレイ）部７は、伸張処理部６が復元した映像音声データのうち映像データを表示可能な映像信号に変換する。そして、ＯＳＤ部７は、変換した映像信号をディスプレイ装置８に供給する。ディスプレイ装置８は、テレビや液晶モニタなどであり、ＯＳＤ部７から供給される映像信号に対応した映像を表示する。なお、この実施の形態では、ディスプレイ装置８は、再生装置１００の外部にある構成となっているが、再生装置１００とディスプレイ装置８とが一体となっていてもよい。
【００２１】
Ｄ／Ａ変換部９は、伸張処理部６で復元した映像音声データのうち音声データをデジタル信号からアナログ信号に変換して音声出力装置１０に出力する。音声出力装置１０は、接続されたスピーカ１１或いはヘッドホン１２にＤ／Ａ変換部９から出力された音声データを出力する。
【００２２】
ＲＡＭ１３は、圧縮処理部４による圧縮処理時や伸張処理部６による伸張処理時に映像音声データを一時的に格納する。フラッシュＲＯＭ１４は、制御部１５の処理に必要なプログラムやデータなどを記憶する。制御部１５は、装置全体の動作を制御する。制御部１５は、ＣＰＵなどから構成される。
【００２３】
キー入力部１６は、この制御部１５に各種キー操作信号を入力する。キー受信部１７は、リモコン１８からの赤外線の各種キー操作信号を受信し、制御部１５に各種キー操作信号を入力する。リモコン１８は、再生装置１００を遠隔操作するための装置である。
【００２４】
図３は、この実施形態の再生装置１００（より具体的には制御部１５）の機能を示す機能ブロック図である。再生装置１００は、記憶部５に記憶される映像音声データ（コンテンツ）を再生し、映像データをディスプレイ装置８に出力し、音声データをスピーカ１１或いはヘッドホン１２に出力する機能（再生機能１０１）を有する。また、ユーザの設定に応じて、受信部１で受信したテレビ放送を記憶部５に記憶（録画）する機能（録画機能１０２）を有する。この実施形態の再生装置１００は、一般的な再生装置が有するこのような再生機能１０１、録画機能１０２に加えて、以下のような機能を有する。
【００２５】
再生装置１００は、再生した映像音声データ（コンテンツ）を予め定められた設定時間ごとにチャプターとして分割する機能（チャプター分割機能１０３）を有する。
【００２６】
また、再生装置１００は、コンテンツの再生終了時に、再生済みのチャプターはその一部のデータを残して削除する機能（チャプター削除機能１０４）を有する。なお、この機能は、ユーザの設定によりオン・オフできるようになっている。
【００２７】
そして、再生装置１００は、再生済みのチャプターの一部のデータを残して削除した場合には、当該一部のデータと、未再生の部分のデータと、を連結して、コンテンツを記憶部５に記憶する機能（データ連結機能１０５）を有する。
【００２８】
なお、ここに挙げた機能は再生装置１００の主な機能であり、再生装置１００は、これら以外の機能を有していてもよい。
【００２９】
このような機能を実装することで、コンテンツの再生済みのチャプターについては、順次削除されるため、記憶部５の容量を好適に確保することができる。また、削除済みのチャプターについては、その一部のデータが削除されずに残るため、ユーザが再生を再開したときには、その一部のデータを視聴することで再生済みの内容を把握可能になる。また、再生済みのチャプターを削除したコンテンツについては、再生するコンテンツを選択するときなどに再生済みのチャプターを削除したコンテンツであるか否かを示す情報を表示する。これにより、ユーザはそのコンテンツが一部のチャプターが削除されたものであるか否かを把握することができる。従って、ユーザが記憶部５に記憶されたコンテンツを削除する際に、途中まで視聴したコンテンツを誤って削除することを防止できる。また、途中まで視聴したが、内容がつまらなかった場合など、続きを視聴しない場合に削除するか否かの判断ができるようになる。
【００３０】
続いて、本実施形態の再生装置１００の動作について説明する。まず、再生装置１００の機能（チャプター削除機能）を設定（セットアップ）する際の動作について説明する。図４は、再生装置１００の機能（チャプター削除機能）を切り替えるためのセットアップ処理の動作を説明するためのフローチャートである。
【００３１】
セットアップ処理では、制御部１５は、先ず、リモコン１８またはキー入力部１６により、セットアップ画面を表示させるための操作が行われたか否かを判別する（ステップＳ１１）。制御部１５は、キー入力部１６またはキー受信部１７から送信される操作信号に基づいて、いずれの操作が行われたかの判別を行う。セットアップ画面を表示させるための操作が行われなければ（ステップＳ１１；Ｎｏ）、本処理を終了する。
【００３２】
制御部１５は、セットアップ画面を表示させるための操作が行われたと判別すると（ステップＳ１１；Ｙｅｓ）、フラッシュＲＯＭ１４に予め記憶されているセットアップ画面のデータを読み出してＯＳＤ部７に送り、ＯＳＤ部７によりセットアップ画面表示信号に変換してディスプレイ装置８にセットアップ画面を表示させる（ステップＳ１２）。
【００３３】
セットアップ画面が表示された状態において、制御部１５は、リモコン１８またはキー入力部１６により、チャプター削除機能をオンさせるための操作が行われたか否かを判別する（ステップＳ１３）。
【００３４】
制御部１５は、チャプター削除機能をオンさせるための操作が行われたと判別すると（ステップＳ１３；Ｙｅｓ）、フラッシュＲＯＭ１４に格納されるチャプター削除フラグをオンにセットし（ステップＳ１４）、本処理を終了する。なお、チャプター削除フラグは、チャプター削除機能がオンであるかオフであるかを判別するためのフラグである。
【００３５】
制御部１５は、チャプター削除機能をオンさせるための操作が行われていないと判別すると（ステップＳ１３；Ｎｏ）、チャプター削除機能をオフさせるための操作が行われたか否かを判別する（ステップＳ１５）。
【００３６】
制御部１５は、チャプター削除機能をオフさせるための操作が行われたと判別すると（ステップＳ１５；Ｙｅｓ）、フラッシュＲＯＭ１４に格納されるチャプター削除フラグをオフにリセットし（ステップＳ１６）、本処理を終了する。
【００３７】
制御部１５は、チャプター削除機能をオフさせるための操作が行われていないと判別すると（ステップＳ１５；Ｎｏ）、リモコン１８またはキー入力部１６により、その他のセットアップ操作が行われたか否かを判別する（ステップＳ１７）。
【００３８】
制御部１５は、その他のセットアップ操作が行われたと判別すると（ステップＳ１７；Ｙｅｓ）、その操作に応じた処理を実行して（ステップＳ１８）、本処理を終了する。制御部１５は、その他のセットアップ操作が行われていないと判別すると（ステップＳ１７；Ｎｏ）、ステップＳ１３に戻り、各種のセットアップ操作を受け付ける状態に戻る。なお、ステップＳ１４、Ｓ１６、Ｓ１８の処理の後、ステップＳ１３に戻って、各種のセットアップ操作を受け付ける状態に戻るようにしてもよい。
【００３９】
続いて、再生装置１００において、記憶部５に記憶されるコンテンツを再生する場合の動作について説明する。図５は、再生装置１００の記憶部５に記憶されるコンテンツを再生する際の、コンテンツ再生処理の動作を説明するためのフローチャートである。ここでは、記憶部５に複数のテレビ番組やビデオなどの映像音声データ（コンテンツ）が予め記憶（録画）されているものとして説明する。
【００４０】
コンテンツ再生処理において、制御部１５は、先ず、リモコン１８またはキー入力部１６により、コンテンツを再生させるための操作が行われたか否かを判別する（ステップＳ２１）。ユーザは、リモコン１８またはキー入力部１６によりコンテンツのタイトルを指定して再生を指示することができる。コンテンツを再生させるための操作が行われない場合（ステップＳ２１；Ｎｏ）、本処理を終了する。
【００４１】
制御部１５は、コンテンツを再生させるための操作が行われたと判別すると（ステップＳ２１；Ｙｅｓ）、フラッシュＲＯＭ１４に格納されるチャプター削除フラグがオンであるか否かを判別する（ステップＳ２２）。
【００４２】
制御部１５は、チャプター削除フラグがオンであると判別すると（ステップＳ２２；Ｙｅｓ）、指定されたコンテンツの映像音声データの再生を開始させる（ステップＳ２３）。この再生した映像音声データのうち映像データは、伸張処理部６およびＯＳＤ部７で前述した所定の処理がされ、ディスプレイ装置８にコンテンツの映像が表示される。また、この再生した映像音声データのうち音声データは、伸張処理部６およびＤ／Ａ変換部９で前述した所定の処理がされ、音声出力装置１０を介してスピーカ１１或いはヘッドホン１２から音声が出力される。
【００４３】
このようにしてコンテンツが再生されているときに、制御部１５は、その再生時間を図示せぬタイマなどにより計時し、再生時間が所定の設定時間（例えば１０分）を経過したか否かを判定する（ステップＳ２４）。この実施形態では、コンテンツはこの設定時間ごとに１つのチャプターとして分割される。そして、コンテンツの先頭から順番に各チャプターにチャプター番号が割り振られる。ステップＳ２４における設定時間は、例えば、図４のステップＳ１７でユーザが任意の時間が設定できるようにすればよい。
【００４４】
そして、制御部１５は、再生時間が設定時間を経過したと判別すると（ステップＳ２４；Ｙｅｓ）、再生が行われているコンテンツの映像音声データのうち、直前の設定時間の部分をチャプターとして分割し、この分割したチャプターの番号を削除チャプター番号としてフラッシュＲＯＭ１４に記憶する（ステップＳ２５）。即ち、映像音声データのうち再生が終了したチャプターの部分は、削除の対象になるので、最後のチャプターの番号を削除チャプター番号として、フラッシュＲＯＭ１４に記憶させておく。なお、ステップＳ２５でチャプター分割を行ったときには、タイマをリセットして再度設定時間の計時を開始する。
【００４５】
コンテンツの再生中において、制御部１５は、リモコン１８またはキー入力部１６により、コンテンツの再生を停止させるための操作が行われたか否かを判別する（ステップＳ２６）。
【００４６】
制御部１５は、コンテンツの再生を停止させるための操作が行われていないと判別した場合（ステップＳ２６；Ｎｏ）、コンテンツの再生が最後まで行われて再生が終了したか否かを判別する（ステップＳ２７）。コンテンツの再生が終了していないと判別した場合（ステップＳ２７；Ｎｏ）、ステップＳ２４に戻り、コンテンツの再生を継続し、設定時間の経過などを判別する。
【００４７】
制御部１５は、コンテンツの再生を停止させるための操作が行われたと判別した場合や（ステップＳ２６；Ｙｅｓ）、コンテンツの再生が終了したと判別した場合は（ステップＳ２７；Ｙｅｓ）、フラッシュＲＯＭ１４に予め記憶されている削除選択画面データを読み出してＯＳＤ部７に送り、ＯＳＤ部７により削除選択画面表示信号に変換してディスプレイ装置８に削除選択画面を表示させる（ステップＳ２８）。削除選択画面は、ユーザが再生済みのチャプターを削除するか否かを選択できる画面であればよい。
【００４８】
そして、制御部１５は、リモコン１８またはキー入力部１６により、コンテンツを直前のチャプターまで削除する旨が選択されたか否かを判別する（ステップＳ２９）。コンテンツを直前のチャプターまで削除する旨が選択されなかったと判別すると（ステップＳ２９；Ｎｏ）、本処理を終了する。
【００４９】
制御部１５は、コンテンツを直前のチャプターまで削除する旨が選択されたと判別すると（ステップＳ２９；Ｙｅｓ）、チャプター削除処理を実行する（ステップＳ３０）。チャプター削除処理では、制御部１５は、フラッシュＲＯＭ１４から削除チャプター番号を読み出して、再生が終了したチャプターを先頭フレーム（例えばチャプターの最初から１０秒の映像音声データ）を抽出し、残りの部分のデータを削除し、各先頭フレームとコンテンツの残りの部分とを連結する。
【００５０】
例えば、図６に示すように、コンテンツをチャプター番号Ｎ６まで分割し、コンテンツを再生している途中で再生が停止したとき、削除チャプター番号Ｎ６がフラッシュＲＯＭ１４に記憶されていることになる。従って、ステップＳ１２では、制御部１５が、削除チャプター番号Ｎ６をフラッシュＲＯＭ１４から読み出して、この削除チャプター番号Ｎ６に基づいて、チャプター番号Ｎ１〜Ｎ６のチャプターの先頭フレームを抽出し、当該先頭フレームを除いた部分を削除する。そして、Ｎ１〜Ｎ６の先頭フレームとそれ以降のコンテンツのデータとを連結する。なお、ステップＳ２７において、コンテンツの再生が終了したと判別した場合には、当該コンテンツのデータを全て削除するようにしてもよい。
【００５１】
ステップＳ３０の後には、制御部１５は、残りのコンテンツの再生時間（あるいは、それに削除済みのチャプターの先頭フレームの再生時間を加えた時間）を計算し、コンテンツにその時間を対応付けて記憶させる（ステップＳ３１）。その後、この処理を終了する。
【００５２】
以上のように、再生済みのチャプターについて、各先頭フレームのみを残して記憶するので、次回再生を再開するときには、各先頭フレームを再生することで、以前の内容を把握することが容易になる。
【００５３】
ステップＳ２２において、制御部１５は、チャプター削除フラグがオフであると判別すると（ステップＳ２２；Ｎｏ）、記憶部５に記憶されているコンテンツの映像音声データを再生させる（ステップＳ３２）。
【００５４】
そして、制御部１５は、コンテンツの再生を停止させるための操作が行われたと判別した場合や（ステップＳ３３；Ｙｅｓ）、コンテンツの再生が終了したと判別した場合（ステップＳ３４；Ｙｅｓ）、本処理を終了する。
【００５５】
即ち、チャプター削除機能がオンされていない場合には、チャプターの削除は実行されず通常の再生が行われる。
【００５６】
以上説明したように、本実施形態によれば、ユーザがチャプター削除機能をオンしている場合には、コンテンツを再生したときに、再生時間が、例えば、１０分毎や１分毎などのように設定された設定時間を経過すると、削除対象のチャプターの番号を削除チャプター番号としてフラッシュＲＯＭ１４に記憶する。そして、ユーザが停止ボタンを押して再生を途中で停止させたとき、あるいは当該コンテンツを全部再生し終わったとき、再生したチャプターまで削除するかを確認するための削除選択画面をディスプレイ装置１６に表示させる。そして、削除する旨が選択されたときには、直前のチャプターまで先頭フレームを除き削除する。
【００５７】
したがって、記憶部５に記憶されたコンテンツをユーザが視聴するとき、視聴し終わった情報をチャプター単位で削除することが可能になるので、記憶部５の容量不足を未然に防ぐことができる。また、コンテンツの再生途中で停止させて、記憶部５に図７に示すような映像音声データが記憶されている場合、例えば、図８で示すように再生するコンテンツの選択画面において、コンテンツの削除後の再生時間を表示する。図８の例では、タイトル０００１とタイトル０００４とが再生途中で停止させたコンテンツであることがわかる。そのため、この後、忘れて最後まで視聴していない状態で当該コンテンツを全部削除してしまうようなことがなくなり、ユーザにとっては使い勝手が向上する。また、停止した後、引き続きコンテンツを視聴する場合に、削除された各チャプターの先頭フレームを再生できるので、前回までの内容を思い出すことができ、ユーザ利便性が向上する。
【００５８】
なお、本発明は上記実施形態に限定されず、様々な応用、変形が可能である。例えば、上記実施形態では、削除したチャプターの先頭フレームのデータを残すものとして説明したが、削除したチャプターの任意の部分を抽出して残すようにしてもよい。即ち、記憶部５の容量不足を未然に防ぐことができ、コンテンツの再生途中で停止させた場合、最後まで視聴していないことをユーザに示すことができるものであればよく、チャプター分割機能１０３により分割したチャプターの任意の部分をチャプター削除機能１０４により削除し、削除されていない部分のデータを抽出して、データ連結機能１０５により連結するものであればよい。
【００５９】
また、例えば、再生したコンテンツがテレビ番組を録画したものである場合には、コマーシャルの部分を排除して番組の部分を抽出して残すようにしてもよい。このようにするためには、分割したチャプターにおいてコマーシャルの部分であるか番組の部分であるかを判別して、番組の部分から残すデータを選択するようにすればよい（例えば番組の部分の先頭フレームなどを選択する）。なお、分割したチャプターのうちどの部分を残すか、それぞれのチャプターでデータの長さなどは、ユーザが予め設定できるようにしてもよい。
【００６０】
また、上記実施形態では、図５のステップＳ２８において、削除選択画面を表示し、ユーザが再生済みのチャプターを削除するか否かを選択させるようにしていたが、チャプター削除機能がオンである場合には、この処理を省略して、自動的にチャプターの削除（ステップＳ３０、Ｓ３１）が実行されるようにしてもよい。
【００６１】
また、上記実施形態では、チャプター削除機能は、図４に示したセットアップ処理において予めオンまたはオフが設定されるものとして説明したが、コンテンツの再生開始時（例えば図５のステップＳ２２において）に、チャプター削除機能をオンにするかオフにするかユーザに選択させるようにしてもよい。
【００６２】
また、上記実施形態では、図８に示すように、チャプターの削除を行ったコンテンツである場合には、削除後の再生時間を表示することで、チャプターの削除を行ったコンテンツであるか否かが分かるようになっていたが、チャプターの削除を行ったか否かをコンテンツと合わせて表示するようにしてもよい。
【００６３】
また、図６に示したように、上記実施形態では、再生済みのチャプターの先頭フレームと、チャプター分割していない部分と、を連結していたが、再生済みのチャプターの先頭フレームと、チャプター分割していない部分の先頭フレームと、再生が停止された時点での先頭データと、を連結するようにしてもよい。
【００６４】
また、本発明を実現するためのプログラムは、フラッシュＲＯＭ１４に予め記憶されているものとして説明したが、外部の記憶媒体から取得したものであってもよいし、ネットワークを介して伝送されたものを記憶したものであってもよい。
【産業上の利用可能性】
【００６５】
本発明は、ハードディスクレコーダ或いはポータブル再生機器等の再生装置にチャプター削除機能を採用することにより、記憶部の容量不足を未然に防ぐことができ、また、当該コンテンツの再生途中で停止させた場合、最後まで視聴していないことをユーザに示すことに利用できる。
【符号の説明】
【００６６】
１  受信部
２  復調部
３  Ａ／Ｄ変換部
４  圧縮処理部
５  記憶部
６  伸張処理部
７  ＯＳＤ部
８  ディスプレイ装置
９  Ｄ／Ａ変換部
１０  音声出力装置
１１  スピーカ
１２  ヘッドホン
１３  ＲＡＭ
１４  フラッシュＲＯＭ
１５  制御部
１６  キー入力部
１７  キー受信部
１８  リモコン
１０１  再生機能（再生部）
１０２  録画機能
１０３  チャプター分割機能（分割部）
１０４  チャプター削除機能（削除部）
１０５  データ連結機能（チャプター削除データ記憶部、連結部）
【図１】
2011258267.tif 000003
【図２】
2011258267.tif 000004
【図３】
2011258267.tif 000005
【図４】
2011258267.tif 000006
【図５】
2011258267.tif 000007
【図６】
2011258267.tif 000008
【図７】
2011258267.tif 000009
【図８】
2011258267.tif 000010